(57)【特許請求の範囲】
【請求項１】
略矩形状の天井部材と、この天井部材の長手方向両端部にそれぞれの一端部を、回動可能に連結された１対の天井支持部材と、略矩形状で、長手方向両端部にこれら両天井支持部材の他端部がそれぞれ固定される床部材とを備え、
前記天井部材と前記各天井支持部材と前記床部材とを互いに水平に重ね合わせた折り畳み状態から、前記天井部材を吊り上げ、前記両天井支持部材をそれぞれ起立状態にまで回動させて組み立てられる、折り畳み式組立家屋であって、
前記天井支持部材は、前記天井部材の短手方向に互いに離隔した１対の柱部を有しており、
前記床部材は、この床部材の短手方向に互いに離隔した状態でこの床部材の長手方向に伸長する１対の床大梁を有しており、
前記天井支持部材の他端部を構成する前記柱部の固定側端部には、張出連結板が設けられており、
前記張出連結板は、前記折り畳み状態では、水平方向に配置された前記柱部の固定側端部から上方に向けて張り出し、前記天井部材の下面に開口した収納部内に収納されており、組立状態では、鉛直方向に配置された前記柱部の固定側端部と前記床大梁の長さ方向端面とを互いに突き合わせた状態で、前記床大梁の長さ方向端部内側面に固定される、
事を特徴とする折り畳み式組立家屋。
【請求項２】
前記床部材が、前記１対の床大梁と、これら両床大梁の長さ方向両端寄り部分同士を互いに連結する１対の伸縮梁とを有する床フレームを含んで構成されており、
これら両伸縮梁の長さ寸法を調整する事により、前記両床大梁の長さ方向両端部同士の間隔を調整可能とした、請求項１に記載した折り畳み式組立家屋。
【請求項３】
前記床部材が、前記１対の床大梁を有する床フレームを含んで構成されており、
前記天井支持部材を回動させる際に、この天井支持部材の他端部に設けられたローラが、前記床大梁の上面を転動する、請求項１〜２のうちの何れか１項に記載した折り畳み式組立家屋。
【請求項４】
前記ローラに隣接した部分に、前記床大梁の側面と係合して、このローラがこの床大梁の上面から脱輪する事を防止する案内鍔部が設けられている、請求項３に記載した折り畳み式組立家屋。
【請求項５】
前記天井部材の上面に転落防止装置を構成するスタンションが設けられており、
このスタンションが、前記天井部材に対して水平方向から鉛直方向に回動可能に支持された回動柱と、この回動柱に対しこの回動柱の長さ方向にスライド可能に支持されたスライド係合片と、前記天井部材に固定された受部材とを備えたものであり、
この受部材には、前記回動柱を鉛直方向に起立させた際に下方に移動するスライド係合片と係合し、この回動柱の回動を規制する、係合凹部が設けられている、請求項１〜４のうちの何れか１項に記載した折り畳み式組立家屋。
【請求項６】
前記受部材が、前記天井部材を吊り上げる際に使用するワイヤを掛止する機能を兼ね備えている、請求項５に記載した折り畳み式組立家屋。
【請求項７】
前記天井支持部材が、前記１対の柱部を備えた天井支持フレームを含んで構成されており、これら両柱部のうち少なくとも一方の柱部が、電気配線を収納可能に構成されている、請求項１〜６のうちの何れか１項に記載した折り畳み式組立家屋。
【請求項８】
前記折り畳み状態で、前記天井支持部材と前記床部材とを、固定プレートにより固定している、請求項１〜７のうちの何れか１項に記載した折り畳み式組立家屋。
【発明の詳細な説明】
【技術分野】
【０００１】
本発明は、例えば仮設店舗や現場事務所、オフィス等として利用される、折り畳み可能な組立家屋（ユニットハウス）に関する。
【背景技術】
【０００２】
従来から、組立家屋は、現場での施工作業及び撤去作業が可能である等の理由から、土木現場や建築現場等の仮設事務所として広く利用されている。又、施工効率及び撤去効率の向上を図る為、例えば特許文献１〜３等に記載される様に、従来から各種構造の組立家屋が提案されている。
【０００３】
図１８〜２１は、このうちの特許文献１に記載された、従来構造の折り畳み式の組立家屋１を示している。この組立家屋１は、図１８に示した組立完成状態で、天井部材２と、妻側の１対の天井支持部材３、３と、複数の桁側壁面パネル４と、床部材５とを備えている。このうちの天井部材２は、略矩形板状で、鉄骨製の天井フレームに、屋根材及び天井材等をそれぞれ取り付ける事により構成されている。又、前記各天井支持部材３、３は、鉄骨製の天井支持フレームに、壁材や窓枠等を組み付ける事により構成されており、それぞれの一端部（組立状態での上端部）を、前記天井部材２の長手方向両端部に、それぞれヒンジ６、６（図１９〜２１参照）を介して回動可能に連結されている。又、前記各桁側壁面パネル４は、壁材や窓枠等から構成されており、前記天井部材２の桁側両辺と前記両天井支持部材３、３の側辺と前記床部材５の桁側両辺から構成される矩形枠内に取り付けられている。更に、前記床部材５は、略矩形板状で、鉄骨製の床フレームに床板等を取り付ける事により構成されており、その長手方向両端部が、前記各天井支持部材３、３の他端部（組立状態での下端部）に固定されている。
【０００４】
図１８に示した様な組立完成状態を有する組立家屋１は、図１９に示す様な折り畳み状態で、前記天井部材２と前記床部材５との間部分に、前記各天井支持部材３、３が水平方向に折り畳まれた状態で配置され、前記天井部材２とこれら各天井支持部材３、３と前記床部材５とが、互いに水平に重ね合されている。尚、この状態で、前記各桁側壁面パネル４は取り外されており、前記各天井支持部材３、３の他端部（組立状態での下端部）は、前記床部材５に対して固定されていない。
【０００５】
図１９に示した様な折り畳み状態から、図１８に示した様な組立家屋１を組み立てるには、図２０に示す様に、クレーン７を利用して、前記天井部材２を吊り上げる。これにより、図２１に示す様に、水平方向に折り畳まれていた前記両天井支持部材３、３を、それぞれ９０度回動させて鉛直方向に起立させる。次いで、これら両天井支持部材３、３の他端部を、前記床部材５の長手方向両端部に対して固定する。その後、前記各桁側壁面パネル４を取り付け、組立完成状態の組立家屋１を得る。
【０００６】
上述した様な従来構造の折り畳み式組立家屋１の場合、折り畳み状態で、前記床部材５の上方に載置した前記天井部材２を吊り上げる事により、重力を利用して、前記両天井支持部材３、３を起立状態にまで回動させる事ができる。この為、組立家屋１を組み立てる際に、構成部材の一部を別の場所に仮置き（移動）する作業が不要になり、作業効率の向上を図れる。又、前記両天井支持部材３、３を起立させるのに要する作業者の負担を軽減できる等の優れた点がある。
【０００７】
但し、上述した従来構造の場合、前記両天井支持部材３、３の他端部と、前記床部材５の長手方向両端部とを固定する為に、これら両部材３、５とは別体の連結金具（図示省略）を利用している。この様な連結金具を用いた場合、部品点数が増加する為、施工効率の面から不利になる。この様な事情に鑑み、上述した様な連結金具を、天井支持部材の他端部と床部材の長手方向端部との何れか一方の端部に、予め固定又は一体的に設けておく事も考えられる。但し、この場合には、施工効率の低下は防止できるものの、組立家屋を折り畳んだ際に、連結金具が他の部材と干渉してしまい、天井部材と１対の天井支持部材と床部材とを互いに水平に重ね合わせる事ができなくなる可能性がある。この為、組立家屋の折り畳み状態での積載性の低下（厚さ寸法の増大）を招いてしまう。又、従来構造の組立家屋１の場合、前記各天井支持部材３、３を回動させた際に、これら各天井支持部材３、３の他端縁が、前記床部材５の上面を引き摺り、この床部材５に傷等の損傷を生じる可能性もある。又、従来構造の場合には、天井部材２の上で作業する作業者の安全性を特段考慮した構造にはなっておらず、安全性の確保の面からは更なる改良の余地がある。又、従来構造の場合には、電気配線を収納するスペースが考慮されていない為、折り畳み状態で、電気配線が断線する可能性がある。又、電気配線が室内空間に露出し、室内空間の意匠を低下させる可能性もある。更に、従来構造の場合には、折り畳み状態の姿勢を維持したまま、クレーンにより吊り上げたり、搬送したりする事に就いては、特段考慮していない。この為、クレーンにより吊り上げた際に、前記図２０に示した様に、前記天井部材２及び前記各天井支持部材３、３のみが吊り上げられてしまい、折り畳み状態の姿勢を維持したまま、吊り上げる事はできない。又、前記図１９に示した状態で、トラックの荷台等にそのまま積層した場合には、前記天井部材２及び前記各天井支持部材３、３と、前記床部材５とが水平方向に相対変位してしまい、バランスを崩す可能性がある。
【先行技術文献】
【特許文献】
【０００８】
【特許文献１】実開平６−６７６０７号公報
【特許文献２】実開平２−５５０５号公報
【特許文献３】実用新案登録第３０５８６４６号公報
【発明の概要】
【発明が解決しようとする課題】
【０００９】
本発明は、上述の様な事情に鑑み、折り畳み状態での積載性の低下を防止しつつ、施工効率の向上を図れる、折り畳み式組立家屋の構造を実現すべく発明したものである。
又、本発明は必要に応じて、床部材の上面に損傷が生じる事を有効に防止できる構造、天井部材の上で作業する作業者の安全性を有効に確保できる構造、電気配線を効果的に収納できる構造、及び、折り畳み状態での作業性に優れた構造を実現するものである。
【課題を解決するための手段】
【００１０】
本発明の折り畳み式組立家屋は、略矩形状の天井部材と、１対の天井支持部材と、略矩形状の床部材とを備える。
このうちの天井部材は、例えば鉄骨製の天井フレームと屋根材（防水シート、断熱材等を含む）と天井材（天井パネル）から構成される。
又、前記各天井支持部材は、例えば鉄骨製の天井支持フレームと妻側壁面パネルから構成され、前記天井部材の短手方向に互いに離隔した１対の柱部を有しており、それぞれの一端部（組立状態での上端部）を前記天井部材の長手方向両端部に、回動ピンやヒンジ等を介して、回動可能に連結されている。
又、前記床部材は、例えば鉄骨製の床フレームと床材（床板、断熱材等を含む）から構成され、前記床部材の短手方向に互いに離隔した状態でこの床部材の長手方向に伸長する１対の床大梁を有しており、その長手方向両端部に、前記両天井支持部材の他端部（組立状態での下端部）が固定される。
又、本発明の折り畳み式組立家屋は、前記天井部材と前記各天井支持部材と前記床部材とを互いに水平に重ね合わせた折り畳み状態から、前記天井部材を吊り上げ、前記両天井支持部材をそれぞれ起立状態にまで回動させて、組み立てられるものである。
【００１１】
特に本発明の折り畳み式組立家屋の場合には、前記天井支持部材の他端部を構成する前記柱部の固定側端部に、張出連結板を設けている。
又、前記張出連結板は、前記折り畳み状態では、水平方向に配置された前記柱部の固定側端部から上方に向けて張り出し、前記天井部材の下面に開口した収納部内に収納されており、組立状態では、鉛直方向に配置された前記柱部の固定側端部（下端部）と前記床大梁の長さ方向端面とを互いに突き合わせた状態で、前記床大梁の長さ方向端部内側面に固定される。
【００１２】
又、上述した様な本発明の折り畳み式組立家屋を実施する場合には、例えば請求項２に記載した発明の様に、前記床部材を、この床部材の短手方向に互いに離隔した状態で、前記１対の床大梁と、これら両床大梁の長さ方向両端寄り部分同士を互いに連結する１対の伸縮梁とを有する床フレームを含んで構成する。
そして、これら両伸縮梁の長さ寸法を調整する事により、前記両床大梁の長さ方向両端部同士の間隔を調整（拡縮）可能とする。
【００１３】
又、本発明の折り畳み式組立家屋を実施する場合、例えば請求項３に記載した発明の様に、前記床部材を、前記１対の床大梁を有する床フレームを含んで構成する。
又、前記天井支持部材を回動させる際に、この天井支持部材の他端部に設けたローラを、前記床大梁の上面を転動させる。
【００１４】
又、上述した様な請求項３に記載した発明を実施する場合には、例えば請求項４に記載した発明の様に、前記ローラに隣接した部分に、前記床大梁の側面と係合して、このローラがこの床大梁の上面から脱輪する事を防止する案内鍔部を設ける。
【００１５】
又、本発明の折り畳み式組立家屋を実施する場合には、例えば請求項５に記載した発明の様に、前記天井部材の上面に転落防止装置を構成するスタンションを設ける。
このスタンションは、前記天井部材に対して水平方向から鉛直方向に回動可能に支持された回動柱と、この回動柱に対しこの回動柱の長さ方向にスライド可能に支持されたスライド係合片と、前記天井部材に固定された受部材とを備える。
又、この受部材には、前記回動柱を鉛直方向に起立させた際に下方に移動するスライド係合片と係合し、この回動柱の回動を規制する、係合凹部を設けている。又、必要に応じて、前記受部材には、前記回動柱を水平方向から鉛直方向に向けて回動させた際に、前記スライド係合片を上方に案内移動させる案内部を設ける。
更に、上述した様な請求項５に記載した発明を実施する場合には、例えば請求項６に記載した発明の様に、前記受部材に、掛止孔を形成する等して、前記天井部材を吊り上げる際に使用するワイヤを掛止する機能を備えさせる。
【００１６】
又、本発明の折り畳み式組立家屋を実施する場合には、例えば請求項７に記載した発明の様に、前記天井支持部材を、前記１対の柱部を備えた天井支持フレームを含んで構成する。そして、これら両柱部のうち少なくとも一方の柱部を、電気配線を収納可能に構成する。
【００１７】
又、本発明の折り畳み式組立家屋を実施する場合には、例えば請求項８に記載した発明の様に、前記折り畳み状態で、前記天井支持部材と前記床部材とを、例えば鉛直方向に配置した固定プレートにより固定する。
【００１８】
更に、本発明の折り畳み式組立家屋を実施する場合には、例えば、前記床部材に、この床部材の長手方向に離隔する状態で、フォークリフトに設けられた爪を挿入する為の１対の爪挿入部を設ける。
【発明の効果】
【００１９】
以上の様な構成を有する本発明の折り畳み式組立家屋によれば、折り畳み状態での積載性の低下を防止しつつ、施工効率の向上を図れる。
即ち、本発明の場合には、天井支持部材の他端部に、折り畳み状態で上方に向けて張り出した、床部材の長手方向端部に固定する為の張出連結板をそれぞれ設けている。この為、本発明によれば、天井支持部材及び床部材とは別体の連結金具を使用する場合に比べて、組立家屋の施工効率の向上を図れる。又、折り畳み状態で、前記張出連結板を、天井部材の下面に開口する状態で設けられた収納部内に収納できる為、この張出連結板が他の構成部材と干渉する事を防止できる。この為、この張出連結板を前記天井支持部材の他端部に設けた場合にも、前記天井部材とこれら各天井支持部材と前記床部材とを互いに水平に重ね合わせる事が可能になる。従って、折り畳み状態での積載性の低下を防止できる。この結果、本発明によれば、折り畳み状態での積載性の低下を防止しつつ、施工効率の向上を図れる。
【００２０】
又、請求項２に記載した発明の場合には、床フレームを構成する１対の伸縮梁の長さ寸法を調整する事により、この床フレームを構成する１対の床大梁の長さ方向両端部同士の間隔を調整する事ができる。この為、これら両床大梁の長さ方向両端部同士の内側（又は外側）に、前記各天井支持部材の他端部に設けられた１対の張出連結板を固定する構造を採用した場合に、これら両張出連結板を前記両床大梁の長さ方向両端部同士の間に配置（挿入）する作業の作業性の向上と、固定部に於ける結合強度の向上との両立を図れる。
【００２１】
又、請求項３に記載した発明の場合には、前記天井支持部材を回動させる際に、この天井支持部材の他端部に設けたローラが、前記床部材を構成する床大梁の上面を、長さ方向中間部と長さ方向端部との間で転動する。この為、前記天井支持部材の他端縁部が、前記床部材の上面を引き摺って損傷する事を防止できる。又、請求項３に記載した発明の場合には、前記天井支持部材が鉛直に起立する状態まで、前記ローラが前記床大梁の上面を転動する事が可能になる為、前記天井支持部材の他端部が、この天井支持部材の回動作業が完了する（起立する）以前に、不支持状態になる事を有効に防止できる。この結果、前記天井部材と前記天井支持部材との連結部に衝撃的な荷重が加わる事を防止して、この連結部の耐久性の向上を図れる。
又、請求項４に記載した発明の場合には、前記ローラに隣接して設けた案内鍔部が、前記床大梁の側面と係合する事により、このローラが、この床大梁の上面から脱輪する事を防止できる。この為、前記天井部材及び前記両天井支持部材と、前記床部材とが、鉛直軸回りに相対回転する事を有効に防止できる。
【００２２】
又、請求項５に記載した発明の場合には、回動柱を水平状態から鉛直状態にまで回動させるだけで、この回動柱を回動不能に起立させる事ができる。この為、スタンションを、別途工具を使用せずに組み立てる（起立状態で固定する）事ができる。
更に、請求項６に記載した発明の場合には、スタンションに、天井部材を吊り上げる際にワイヤを掛止する為の機能を併せ持たせる事ができる為、部品点数の低減及びコストの低減を図れる。
【００２３】
又、請求項７に記載した発明の場合には、天井支持部材を構成する天井支持フレームの柱部に、電気配線を収納する事ができる。この為、折り畳み状態で、電気配線が断線する事を有効に防止できる。又、組立家屋の室内空間の意匠が低下する事を防止できる。
【００２４】
又、請求項８に記載した発明の場合には、折り畳み状態での姿勢を維持する事ができる。この為、折り畳んだ状態での吊り上げ作業や搬送作業等の作業性の向上を図れる。更に、床部材に、フォークリフトに設けられた爪を挿入する為の１対の爪挿入部を設ける場合には、フォークリフトを利用して組立家屋を移動する事が可能になる為、移動作業の為のスペースが小さく済むと共に、移動作業の作業効率の効率を図れる。
【図面の簡単な説明】
【００２５】
【図１】本発明の実施の形態の１例の折り畳み式組立家屋の組立完成直前の状態を示す斜視図。
【図２】同じく折り畳んだ状態を示す斜視図。
【図３】同じく組立途中状態を示す斜視図。
【図４】同じく図１のＡ−Ａ断面図。
【図５】同じく中央部の目隠し部材を取り外して示す、図４のＢ部に相当する部分の拡大図。
【図６】同じく折り畳んだ状態を示す側面図。
【図７】同じく図６のＣ部拡大図。
【図８】同じく図７のＤ−Ｄ断面図。
【図９】同じくスタンション及び天井部材の一部を示す部分断面図であり、（Ａ）は水平状態を、（Ｂ）は起立状態を示す図。
【図１０】同じく図９（Ｂ）のＥ矢視図。
【図１１】同じくスタンションを構成する回動柱の先端部に取り付ける係止具を取り出して示す、正面図（Ａ）及び側面図（Ｂ）。
【図１２】同じく組立完成状態で、フレーム（鉄骨構造）のみを残して他の部材を省略して示す斜視図。
【図１３】同じく天井支持フレームのみを取り出して示す斜視図。
【図１４】同じく天井支持部材と天井部材との連結部を、この天井支持部材の回動角度を変化させた３態様に就いて示す縦断面図。
【図１５】同じく床大梁と伸縮梁との連結部を示す斜視図。
【図１６】同じく天井支持部材の下端部及び床部材の長手方向端部の構造を説明する為に示す斜視図。
【図１７】同じくローラ組立体を取り出して示す側面図。
【図１８】従来構造の折り畳み式組立家屋の完成状態を模式的に示す斜視図。
【図１９】同じく折り畳んだ状態を模式的に示す側面図。
【図２０】同じく吊り上げ作業の途中状態を模式的に示す側面図。
【図２１】同じく吊り上げ作業が完了した状態を模式的に示す側面図。
【発明を実施するための形態】
【００２６】
［実施の形態の１例］
図１〜１７は、本発明の実施の形態の１例を示している。本例の折り畳み式の組立家屋１ａは、天井部材２ａと、１対の天井支持部材３ａ、３ａと、桁側壁面パネル４と、床部材５ａとを備えるもので、それ単体で単棟として使用する事もできるし、複数を連結し連棟として使用する事もできる。
【００２７】
本例の組立家屋１ａは、組立完成状態で、前記天井部材２ａと前記床部材５ａとの長手方向両端部同士の間に、前記両天井支持部材３ａ、３ａが立設されると共に、前記天井部材２ａの桁側両辺とこれら両天井支持部材３ａ、３ａの側辺と前記床部材５ａの桁側両辺から構成される矩形枠内に、前記各桁側壁面パネル４が取り付けられる。これに対し、折り畳み状態では、これら各桁側壁面パネル４が取り外され、図２に示す様に、前記天井部材２ａと前記床部材５ａとの間部分に、前記各天井支持部材３ａ、３ａが、水平方向に折り畳まれた状態で配置される。この為、本例の場合には、前記各天井支持部材３ａ、３ａの一端部（組立状態での上端部）を、折り畳み状態及び組立完成前の状態で、前記天井部材２ａの長手方向両端部に対し回動可能に連結しているのみで固定せず、組立完成状態で、回動不能に固定する。一方、前記各天井支持部材３ａ、３ａの他端部（組立状態での下端部）は、折り畳み状態及び組立完成前の状態で自由端としており、組立完成状態で、前記床部材５ａの長手方向両端部に固定する。
【００２８】
又、本例の組立家屋１ａの場合にも、折り畳み状態から組み立てるには、前記天井部材２ａを、クレーン等を利用して吊り上げ、前記両天井支持部材３ａ、３ａを、重力を利用して、それぞれ水平状態から起立状態にまで回動させる。これに対し、組立状態から折り畳むには、前記両天井支持部材３ａ、３ａの両端部（組立状態での上下両端部）と、前記天井部材２ａ及び前記床部材５ａの長手方向両端部との固定を解除する。そして、この天井部材２ａ及び前記両天井支持部材３ａ、３ａを、クレーン等を利用して僅かに吊り上げた状態で、これら両天井支持部材３ａ、３ａをそれぞれの他端部同士を近づける方向に回動させつつ、前記天井部材２ａを下降させる。これにより、前記両天井支持部材３ａ、３ａを、起立状態から水平状態にまで回動させて、前記天井部材２ａと前記床部材５ａとの間部分に折り畳んだ状態で配置する。
本例の組立家屋１ａの基本的な構成、並びに、組立作業及び折り畳み作業に関する基本作業は、以上の通りである。以下、本例の組立家屋１ａの詳細に就いて説明する。
【００２９】
本例の組立家屋１ａを構成する天井部材２ａは、全体形状を略矩形状としており、鉄骨製の天井フレーム８と、この天井フレーム８の上面に取り付けられる屋根材９と、この天井フレーム８の下面に取り付けられる複数枚の天井パネル１０ａ、１０ｂとを備えている。このうちの天井フレーム８は、略矩形枠状で、前記天井部材２ａの短手方向（図４の上下方向）に互いに離隔した状態で、この天井部材２ａの長手方向（図４の左右方向）に伸長する１対の天井大梁１１、１１と、これら両天井大梁１１、１１同士を連結する複数本の天井小梁１２、１２と、これら天井小梁１２、１２同士又はこれら天井小梁１２、１２と天井大梁１１、１１とを連結する補強梁１３、１３とを備えている。又、前記屋根材９は、例えば溶融５５％アルミニウム−亜鉛合金めっき鋼板（ガルバリウム鋼板：登録商標）、カラー鋼板等の金属板製で、前記天井フレーム８全体を覆う状態で、この天井フレーム８の上面に、ビスや釘等を利用して取り付けられている。又、前記各天井パネル１０ａ、１０ｂはそれぞれ、例えばカラー鋼板、化粧合板、断熱材（例えば発砲スチロール）、防湿シート等を適宜組み合わせて成るものである。又、これら各天井パネル１０ａ、１０ｂのうち、前記天井フレーム８の長手方向中間部に取り付けられる天井パネル１０ａ、１０ａは、ビス等により、工具を利用せずには取り外しが不能に固定されている。これに対し、前記天井フレーム８の長手方向両端部に取り付けられる１対の天井パネル１０ｂ、１０ｂは、工具を利用せずに取り外し可能に構成されており、図１４に示す様に、組立作業時及び折り畳み作業時には取り外される。
【００３０】
又、本例の折り畳み式組立家屋１ａの場合、前記各天井大梁１１、１１の内側面（内部空間に対向する側面）と、前記各天井パネル１０ａ、１０ａとの間部分に、これら各天井大梁１１、１１に沿って長い溝部１４、１４が設けられている。これら各溝部１４、１４は、組立完成状態で、ゴム又は樹脂製の目隠し部材１５ａ、１５ｂにより全体が塞がれているが、折り畳み作業を行う際には、これら目隠し部材１５ａ、１５ｂのうち、前記各溝部１４、１４の長さ方向中央部を塞いだ目隠し部材１５ｂ、１５ｂのみを取り外しておく。これにより、前記各溝部１４、１４の長さ方向中央部に、後述する張出連結板３５、３５を収納する為の収納部１６が、前記天井部材２ａの下面に開口した状態になる。これら各収納部１６の寸法は、前記折り畳み式組立家屋１ａを折り畳んだ状態で、１対の張出連結板３５、３５を収納できるだけの長さ寸法、これら各張出連結板３５、３５の先半部（上半部）を収納できるだけの深さ寸法、及び、これら各張出連結板３５、３５を収納できるだけの幅寸法をそれぞれ有する。
【００３１】
又、前記屋根材９の上面の四隅部（中心から等間隔離れた４個所位置）には、前記天井部材２ａをクレーン（図１９〜２１参照）により吊り上げる際に利用するワイヤを掛止する為の係止鉤（吊金具）１７、１７が設けられている。又、前記屋根材９の上面には、転落防止装置を構成する４本のスタンション１８、１８が設けられている。これら各スタンション１８は、図９〜１０に示した様に、回動柱１９と、スライド係合片２０と、特許請求の範囲に記載した受部材に相当する前記係止鉤１７とから構成されている。このうちの回動柱１９は、この係止鉤１７を前記屋根材９に固定する為のボルト２１を利用して、この屋根材９に対して水平方向から鉛直方向に回動可能に支持されている。又、前記スライド係合片２０は、前記回動柱１９の長さ方向に長い１対の長孔２２、２２が形成されており、これら各長孔２２、２２を挿通した１対のボルト２３、２３により、前記回動柱１９に対し、この回動柱１９の長さ方向にスライド可能に支持されている。更に、前記係止鉤１７は、全体形状を略Ｄ字形としており、その中央部にワイヤを掛止する為の掛止孔２４が設けられている。又、前記係止鉤１７の外周縁部には、前記回動柱１９を水平方向から鉛直方向に向けて回動させた際に、前記スライド係合片２０を上方に案内移動させる円弧状の案内部２５と、前記回動柱１９を鉛直方向に起立させた際に下方に移動する前記スライド係合片２０と係合し、この回動柱１９の回動を規制する、係合凹部２６が設けられている。又、この回動柱１９の先端部には、図１１に示した様な、略Ｕ字形の本体部２７と、この本体部２７の先端部に掛け渡されるアイボルト２８とから成る、係止具２９が取り付けられる。
【００３２】
以上の様な構成を有するスタンション１８は、前記屋根材９の上で作業する作業者の安全を確保する為に設けられるもので、具体的には、次の様に利用する。即ち、前記各スタンション１８、１８をそれぞれ起立させた状態で、それぞれの先端部に設けられた係止具２９を利用して図示しないロープを架け渡す。そして、前記屋根材９の上で作業を行う場合には、作業者に対して一端部を連結した安全帯の他端部（例えばフック）の内側に、前記ロープを通す。尚、本例の場合には、前記屋根材９の上に４本のスタンション１８、１８を設けているが、スタンションの数は、４本に限定されず、２本以上設ける事ができ、その配置位置も図示の構造に限定されずに自由に配置できる。
【００３３】
前記各天井支持部材３ａ、３ａは、全体形状を略矩形状としており、鉄骨製の天井支持フレーム３０、３０と、これら各天井支持フレーム３０、３０の内側に嵌め込まれる、妻側壁面パネル３１、３１とを備えている。尚、これら各妻側壁面パネル３１を、矩形枠状の壁材（例えばカラー鋼板）と、この壁材の内側に建て込まれた引戸障子や窓枠等の建具から構成する事もできる。前記各天井支持フレーム３０は、図１３に示す様に、矩形枠状で、折り畳み状態で水平方向に配置されると共に組立状態で鉛直方向に配置される１対の柱部３２ａ、３２ｂと、これら両柱部３２ａ、３２ｂの長さ方向両端部同士を連結した１対の連結梁３３ａ、３３ｂとを備えている。特に本例の場合には、前記各柱部３２ａ、３２ｂの長さ方向両端部のうち、組立状態で上端部に位置する一端部（回動側端部）に、略矩形板状の回動用張出連結板３４を設けており、組立状態で下端部に位置する他端部（固定側端部）に、矩形板状の張出連結板３５を設けている。これら回動用張出連結板３４及び張出連結板３５はそれぞれ、前記各柱部３２ａ、３２ｂ（の長さ方向）に対して直角方向で、且つ、前記組立家屋１ａを折り畳んだ状態で、上方に向けて張り出す状態で設けられている。又、前記回動用張出連結板３４及び前記張出連結板３５は、前記各柱部３２ａ、３２ｂの中心軸に対して平行な同一仮想平面上に設けられている。
【００３４】
前記回動用張出連結板３４は、前記各天井支持フレーム３０、３０（柱部３２ａ、３２ｂ）の一端部を、前記天井フレーム８（天井大梁１１、１１）の長手方向両端部に対し、折り畳み状態及び組立完成前の状態で、回動可能に支持すると共に、組立完成状態で、回動不能に固定する為に利用する。前記各回動用張出連結板３４には、図１４に示す様に、前記各天井大梁１１の長さ方向端部に水平方向に回転可能に支持された回動ピン３６を挿通する為の回動孔３７と、組立完成状態で、前記各天井大梁１１の長さ方向端部の内側面に対し回動不能に固定するボルトを挿通する為のボルト用貫通孔３８、３８とが、それぞれ形成されている。これら各ボルト用貫通孔３８、３８は、図１４の（Ａ）に示した前記天井支持部材３ａの起立状態で、前記天井大梁１１の長さ方向端部に設けられた複数の通孔３９、３９と整合する位置に設けられている。又、前記回動用張出連結板３４のうち、組立状態で上側に位置する上辺の先半部には、前記回動孔３７を中心とする円弧部４０が設けられている。これにより、前記回動ピン３６を中心に、前記各天井支持フレーム３０が回動した場合にも、前記回動用張出連結板３４の上辺が前記屋根材９の下面に対し干渉（接触）する事を防止している。
【００３５】
前記張出連結板３５は、前記各天井支持フレーム３０、３０（柱部３２ａ、３２ｂ）の他端部を、前記床部材５ａ（後述する床大梁４９、４９）の長手方向両端部の内側面に対し、組立完成状態で固定する為に利用する。前記張出連結板３５には、組立完成状態で、前記各床大梁４９の長さ方向端部の内側面に対し固定するボルトを挿通する為のボルト用貫通孔４１、４１が形成されている。これら各ボルト用貫通孔４１、４１は、組立完成状態（天井支持部材３ａの起立状態）で、前記各床大梁４９の長さ方向端部に設けられた複数の通孔４２、４２と整合する位置に設けられている。特に本例の場合には、この様な構成を有する前記張出連結板３５の先半部（折り畳み状態での上半部）を、前記図２、６、７、８に示した様な折り畳み状態で、前記収納部１６内に収納している。
【００３６】
又、本例の場合には、前記各柱部３２ａ、３２ｂをそれぞれ、断面正方形状の主柱４３と、この主柱４３の内側面に固定された断面長方形状の補助柱４４ａ、４４ｂとから構成している。又、前記両柱部３２ａ、３２ｂのうち、一方の柱部３２ｂを構成する補助柱４４ｂの側面（組立状態で内部空間に対向する面）を、取り外し可能なカバー体４５により構成している。これにより、前記補助柱４４ｂの内側空間を、電気配線４６を収納する為の配線収納空間としている。
【００３７】
前記床部材５ａは、全体形状を略矩形状としており、鉄骨製の床フレーム４７と、この床フレーム４７の上面に取り付けられる、例えば塗装合板等の床板４８ａ、４８ｂとを備えている。このうちの床フレーム４７は、略矩形枠状で、前記床部材５ａの短手方向に互いに離隔した状態で、この床部材５ａの長手方向に伸長する１対の床大梁４９、４９と、これら両床大梁４９、４９の長さ方向中間部同士を連結する複数本の床小梁５０、５０と、これら両床大梁４９、４９の長さ方向両端寄り部分同士を連結する１対の伸縮梁５１、５１と、前記床小梁５０、５０と前記床大梁４９、４９とを連結する補強梁５２、５２とを備えている。前記両床板４８ａ、４８ｂのうち、前記床フレーム４７の長手方向中間部に取り付けられる床板４８ａ、４８ａは、ビス等により、工具を利用せずには取り外しが不能に固定されている。これに対し、前記床フレーム４７の長手方向両端部に取り付けられる１対の床板４８ｂ、４８ｂは、工具を利用せずに取り外し可能に構成されており、組立作業時及び折り畳み作業時には取り外される。又、図８に示す様に、前記床部材５ａの短手方向（左右方向）に関する前記床板４８ａ（４８ｂ）の長さ寸法Ｘを、前記両床大梁４９の外側面間の長さ寸法Ｙよりも小さくしている（Ｘ＜Ｙ）。これにより、これら各床大梁４９の上面のうちで、前記各床板４８ａから露出した外側半部を、これら各床大梁４９の全長に亙り設けられたローラ転動面５３としている。
【００３８】
又、前記床フレーム４７を構成する１対の伸縮梁５１、５１はそれぞれ、図１５に示した様に、長さ方向両端部に、ボルト５４の軸部を挿通する為の円孔が形成された梁部本体５５と、この梁部本体５５の長さ方向両端部に前記ボルト５４によりそれぞれ固定された１対の調整板部５６とから構成されている。これら両調整板部５６は、それぞれ前記ボルト５４を挿通可能な長孔５７が形成されており、前記両床大梁４９、４９の内側面に基端部が固定（溶接）されている。本例の場合には、前記長孔５７内での前記ボルト５４の位置を変化させる事により、前記伸縮梁５１、５１の長さ寸法及び前記両床大梁４９、４９の長さ方向両端部同士の間隔を変更する事が可能である。
【００３９】
又、本例の場合、前記床部材５ａを構成する床フレーム４７に、この床フレーム４７の長手方向に離隔する状態で、フォークリフトに設けられた爪を挿入する為の、矩形孔状の１対の爪挿入部５８、５８を設けている。これら各爪挿入部５８、５８は、前記床フレーム４７を構成する前記両床大梁４９、４９の外側面にそれぞれ開口する状態で設けられており、これら両床大梁４９、４９の内側面に固定された断面コ字形の爪案内部５９、５９と、これら両爪案内部５９、５９同士を連結する１対の連結部材６０、６０とから構成されている。
【００４０】
又、本例の組立家屋１ａの場合、前述した様な組立作業及び折り畳み作業の作業効率の向上を図るべく、前記各天井支持フレーム３０、３０の他端部（組立状態での下端部）に、図１６、１７に示した様な、ローラ組立体６１を着脱可能としている。このローラ組立体６１は、前記各天井支持フレーム３０、３０を構成する柱部３２ａ、３２ｂの下面に対し、カムやビス、マグネット等を利用して固定される、略コ字形の枠体６２と、この枠体６２に対し水平方向に支持された軸６３と、この軸６３の周囲に回転可能に配置されたローラ６４と、この枠体６２のうちで、このローラ６４が支持された部分よりも外側（外部空間側でローラ６４の外側に隣接する部分）に支持された円形状の案内鍔部６５とを備える。本例の場合、前記床部材５ａの短手方向に関して、前記各ローラ転動面５３と整合する位置に、前記各ローラ６４が配置されると共に、前記各床大梁４９の外側面よりも僅かに外側位置に、前記各案内鍔部６５が配置される様に、前記天井部材２ａ及び前記各天井支持部材３ａ、３ａと前記床部材５ａとの位置関係を規制した状態で作業を行う。
【００４１】
上述の様な構成を有する前記各ローラ組立体６１、６１を取り付けて行う、組立作業及び折り畳み作業に就いて、図２及び図３を参照しつつ説明する。
先ず、組立作業を行う場合には、図２に示す様に、前記組立家屋１ａの折り畳み状態で、前記各天井支持フレーム３０、３０の他端部に対し、前記各ローラ組立体６１、６１を取り付ける。そして、従来構造の場合と同様に、前記天井部材２ａを、クレーン等を利用して吊り上げると、図３に示した様に、前記両天井支持部材３ａ、３ａの他端部に装着された前記各ローラ６４、６４が、前記各ローラ転動面５３、５３上を前記各床大梁４９、４９の長さ方向中間部から端部に向けてそれぞれ転動する。又、同時に、前記各案内鍔部６５、６５の内側面が前記各床大梁４９、４９の外側面に対しそれぞれ係合する事で、前記各ローラ６４、６４が前記各ローラ転動面５３、５３から脱輪する（天井部材２ａ及び天井支持部材３ａが床部材５ａに対し鉛直方向の軸回りに回転する）事を防止する。そして、前記各ローラ６４、６４が、前記各床大梁４９、４９の長さ方向端部を超えた（長さ方向に脱輪した）ならば、前記天井部材２ａを僅かに下降させて、前記各張出連結板３５、３５を、前記両床大梁４９、４９の長さ方向両端部の内側面同士の間に配置（挿入）する。次いで、前記両伸縮梁５１、５１の長さ寸法を短くする事により、前記両床大梁４９、４９の長さ方向両端部同士の間隔を小さくする。これにより、これら両床大梁４９、４９の長さ方向両端部内側面により、前記両張出連結板３５、３５を外側から挟持する（隙間のない状態にする）。そして、前記各通孔４２、４２と前記各ボルト用貫通孔４１、４１とをそれぞれ室外側から室内側に向けて挿通する状態でボルトを固定し、前記各張出連結板３５、３５を前記各床大梁４９、４９の長さ方向端部内側面に対し固定する。又、前記各天井大梁１１、１１の長さ方向両端部に形成された通孔３９、３９と、前記各回動用張出連結板３４、３４に形成されたボルト用貫通孔３８、３８とをそれぞれ室外側から室内側に向けて挿通する状態でボルトを固定し、前記各回動用張出連結板３４、３４を前記各天井大梁１１、１１の長さ方向端部に対し固定する。本例の場合には、この様な組立作業により、折り畳み式の組立家屋１ａが組み立てられる。
【００４２】
これに対し、折り畳み作業を行う場合には、図１に示した状態から、前記各張出連結板３５、３５と前記両床大梁４９、４９の長さ方向両端部とを固定しているボルトを取り外すと共に、前記各回動張出連結板３４、３４と前記両天井大梁１１、１１の長さ方向両端部とを固定しているボルトを取り外す。そして、前記天井部材２ａ及び前記両天井支持部材３ａ、３ａを、クレーン等を利用して僅かに吊り上げた状態で、これら両天井支持部材３ａ、３ａの他端部に対し、前記各ローラ組立体６１、６１を取り付ける。次いで、図３に示した様に、前記両天井支持部材３ａ、３ａをそれぞれの他端部同士を近づける方向に回動させつつ、前記天井部材２ａを下降させる。特に本例の場合には、この様な作業時に、前記両天井支持部材３ａ、３ａの他端部に装着された前記各ローラ６４、６４が、前記各ローラ転動面５３、５３上を前記各床大梁４９、４９の長さ方向端部から中央に向けてそれぞれ転動する。又、同時に、前記各案内鍔部６５、６５の内側面が前記各床大梁４９、４９の外側面に対しそれぞれ係合する事で、前記各ローラ６４、６４が前記各ローラ転動面５３、５３から脱輪する事を防止する。そして、前記両天井支持部材３ａ、３ａを、起立状態から水平状態にまで回動させて、前記天井部材２ａと前記床部材５ａとの間部分に折り畳んだ状態で配置する。又、本例の場合には、図２に示す様に、この様な折り畳み状態での姿勢を維持する為、前記各天井支持部材３ａ、３ａと前記床部材５ａとを、鉛直方向に配置された固定プレート６６ａ、６６ｂにより固定している。図示の構造の場合、中央側に配置した固定プレート６６ａを、前記天井部材２ａ（天井大梁１１）に対しボルトにより固定しているが、この固定プレート６６ａは、その上端縁をフック状に形成し、当該フック部を前記天井部材２ａ（天井大梁１１）に係止する事で、前記各天井支持部材３ａ、３ａと前記床部材５ａとを固定するだけでなく、これら各天井支持部材３ａ、３ａと前記天井部材２ａとの鉛直方向に関する間隔が拡がる事も防止できる。
本例の場合には、この様な折り畳み作業により組立家屋１ａが折り畳まれる。
【００４３】
以上の様な構成を有する本例の組立家屋１ａによれば、折り畳み状態での積載性の低下を防止しつつ、施工効率の向上を図れる。
即ち、本例の場合には、１対の天井支持部材３ａ、３ａの他端部に、これら各天井支持部材３ａ、３ａに対し直角方向で、且つ、折り畳み状態で上方に向けて張り出した、前記各張出連結板３５、３５を設けている。この為、本例の構造によれば、前記各天井支持部材３ａ、３ａ及び前記床部材５ａとは別体の連結金具を使用する場合に比べて、組立家屋の施工効率の向上を図れる。又、折り畳み状態で、前記各張出連結板３５、３５を、前記天井部材２ａの下面に開口する状態で設けられた収納部１６内に収納できる為、これら各張出連結板３５、３５が他の構成部材と干渉する事を防止できる。この為、これら各張出連結板３５、３５を前記各天井支持部材３ａ、３ａの他端部に設けた場合にも、前記天井部材２ａとこれら各天井支持部材３ａ、３ａと前記床部材５ａとを互いに水平に重ね合わせる事が可能になる。従って、折り畳み状態での積載性の低下を防止できる。この結果、本例の組立家屋１ａによれば、折り畳み状態での積載性の低下を防止しつつ、施工効率の向上を図れる。
【００４４】
又、本例の場合には、前記両伸縮梁５１、５１の長さ寸法を調整する事により、前記両床大梁４９、４９の長さ方向両端部同士の間隔を調整する事ができる。この為、前記両張出連結板３５、３５を前記両床大梁４９、４９の長さ方向両端部同士の間に配置（挿入）する作業の作業性の向上と、これら各張出連結板３５、３５と床大梁４９、４９の長さ方向端部との固定部に於ける結合強度の向上との両立を図れる。つまり、前記両張出連結板３５、３５を挿入する場合には、前記両伸縮梁５１、５１の長さ寸法を長く調整する事で、前記両床大梁４９、４９の長さ方向両端部同士の間隔を大きくしておき、挿入が済んだ後には、前記両伸縮梁５１、５１の長さ寸法を短く調整する。これにより、上記２つの相反する要求を両立する事ができる。
【００４５】
又、本例の場合には、前記各天井支持部材３ａ、３ａを回動させる際に、これら各天井支持部材３ａ、３ａの他端部に設けた１対のローラ６４、６４が、前記両床大梁４９、４９の上面（ローラ転動面５３、５３）を長さ方向中間部と長さ方向端部との間で転動する。この為、前記各天井支持部材３ａ、３ａの他端縁部が、前記床部材５ａの上面を引き摺って損傷する事を防止できる。又、本例の場合には、前記各天井支持部材３ａ、３ａが鉛直に起立する状態まで、前記各ローラ６４、６４が前記各床大梁４９、４９の上面を転動する事が可能になる為、これら各天井支持部材３ａ、３ａの他端部が不支持状態になる事を有効に防止できる。又、前記各ローラ６４、６４に隣接して設けた案内鍔部６５、６５が、前記各床大梁４９、４９の外側面と係合する事により、これら各ローラ６４、６４が、これら各床大梁４９、４９の上面から脱輪する事を防止できる。この為、前記天井部材２ａ及び前記両天井支持部材３ａ、３ａと前記床部材５ａとが、鉛直方向の軸回りに相対変位する事を有効に防止できる。従って、組立作業の作業効率を向上させる事ができる。
【００４６】
又、本例の場合には、前記各スタンション１８を構成する回動柱１９を水平状態から鉛直状態にまで回動させる作業を行うだけで、この回動柱１９を回動不能に起立させる事ができる。この為、前記各スタンション１８を、別途工具を使用せずに組み立てる（起立状態で固定する）事ができる。
更に、本例の場合には、前記各スタンション１８を構成する係止鉤１７に、前記天井部２ａを吊り上げる際にワイヤを掛止する為の機能を併せ持たせる事ができる為、部品点数の低減及びコストの低減を図れる。
【００４７】
又、本例の場合には、前記各天井支持フレーム３０、３０を構成する一方の柱部３２ｂに、電気配線４６を収納する事ができる。この為、折り畳み状態で、電気配線４６が断線する事を有効に防止できる。又、室内空間の意匠が低下する事を防止できる。
【００４８】
又、本例の場合には、前記各固定プレート６６ａ、６６ｂにより、前記各天井支持部材３ａ、３ａと前記床部材５ａとの鉛直方向に関する間隔が拡がる事を防止している為、折り畳み状態での姿勢を維持する事ができる。この為、折り畳んだ状態での吊り上げ作業や搬送作業等の作業性の向上を図れる。更に、本例の場合には、前記床部材５ａ（床フレーム４７）に、１対の爪挿入部５８、５８を設けている為、フォークリフトを利用して組立家屋を移動する事が可能になる。従って、移動作業の為のスペースが小さく済むと共に、移動作業の作業効率の効率を図れる。
【産業上の利用可能性】
【００４９】
上述した実施の形態では、天井部材、天井支持部材、及び、床部材を、それぞれフレームとそのパネルや板材等の他の部材から構成する場合に就いて説明したが、天井部材、天井支持部材、及び、床部材は、単一の部材により構成されていても良いし、複数の部材から構成されていても良い。又、天井支持部材の端部に設ける回動側張出連結板及び張出連結板の構造に就いても、実施の形態の構造に限定されず、その機能を確保できる限り、別の構造も採用できる。
【符号の説明】
【００５０】
１、１ａ  組立家屋
２、２ａ  天井部材
３、３ａ  天井支持部材
４    桁側壁面パネル
５、５ａ  床部材
６    ヒンジ
７    クレーン
８    天井フレーム
９    屋根材
１０ａ、１０ｂ  天井パネル
１１    天井大梁
１２    天井小梁
１３    補強梁
１４    溝部
１５ａ、１５ｂ  目隠し部材
１６    収納部
１７    係止鉤
１８    スタンション
１９    回動柱
２０    スライド係合片
２１    ボルト
２２    長孔
２３    ボルト
２４    掛止孔
２５    案内部
２６    係合凹部
２７    本体部
２８    アイボルト
２９    係止具
３０    天井支持フレーム
３１    妻側壁面パネル
３２ａ、３２ｂ  柱部
３３ａ、３３ｂ  連結梁
３４    回動用張出連結板
３５    張出連結板
３６    回動ピン
３７    回動孔
３８    ボルト用貫通孔
３９    通孔
４０    円弧部
４１    ボルト用貫通孔
４２    通孔
４３    主柱
４４ａ、４４ｂ  補助柱
４５    カバー体
４６    電気配線
４７    床フレーム
４８ａ、４８ｂ  床板
４９    床大梁
５０    床小梁
５１    伸縮梁
５２    補強梁
５３    ローラ転動面
５４    ボルト
５５    梁部本体
５６    調整板部
５７    長孔
５８    爪挿入部
５９    爪案内部
６０    連結部材
６１    ローラ組立体
６２    枠体
６３    軸
６４    ローラ
６５    案内鍔部
６６ａ、６６ｂ  固定プレート
【図１】
0006367629.tif 000002
【図２】
0006367629.tif 000003
【図３】
0006367629.tif 000004
【図４】
0006367629.tif 000005
【図５】
0006367629.tif 000006
【図６】
0006367629.tif 000007
【図７】
0006367629.tif 000008
【図８】
0006367629.tif 000009
【図９】
0006367629.tif 000010
【図１０】
0006367629.tif 000011
【図１１】
0006367629.tif 000012
【図１２】
0006367629.tif 000013
【図１３】
0006367629.tif 000014
【図１４】
0006367629.tif 000015
【図１５】
0006367629.tif 000016
【図１６】
0006367629.tif 000017
【図１７】
0006367629.tif 000018
【図１８】
0006367629.tif 000019
【図１９】
0006367629.tif 000020
【図２０】
0006367629.tif 000021
【図２１】
0006367629.tif 000022